(57)【要約】      （修正有）【課題】筐体部の外に突出する突出部分を有する液体収容部に外力がかかった場合における液体収容部の姿勢変化を抑制することができる液体吐出装置を提供する。【解決手段】液体を吐出する吐出部を収容し、差し込み口１４を備える筐体部と、吐出部に供給される液体を収容し、差し込み口１４に差し込まれる差し込み部分３ｂと、差し込み口１４に差し込み部分３ｂが差し込まれた際に筐体部の外に突出する突出部分３ａと、を有する液体収容部３と、差し込み口１４から延びるように構成され、突出部分３ａを支持する支持部８と、を備える。【選択図】図７
2018122534.tif 000002
【特許請求の範囲】
【請求項１】
液体を吐出する吐出部を収容し、差し込み口を備える筐体部と、
前記吐出部に供給される前記液体を収容し、前記差し込み口に差し込まれる差し込み部分と、前記差し込み口に前記差し込み部分が差し込まれた際に前記筐体部の外に突出する突出部分と、を有する液体収容部と、
前記差し込み口から延びるように構成され、前記突出部分を支持する支持部と、
を備えることを特徴とする液体吐出装置。
【請求項２】
請求項１に記載の液体吐出装置において、
前記支持部は、前記差し込み口の側壁から延びるように構成されていることを特徴とする液体吐出装置。
【請求項３】
請求項１又は２に記載の液体吐出装置において、
前記差し込み口の内部には、前記液体収容部が差し込まれる差し込み方向に沿って形成され、該液体収容部と当接するレール部が設けられ、
前記支持部には、前記レール部の前記差し込み方向に沿う延長線上に、前記突出部分と弾性的に当接する当接部が設けられることを特徴とする液体吐出装置。
【請求項４】
請求項１から３のいずれか１項に記載の液体吐出装置において、
前記筐体部の外側の位置に、前記支持部をカバーするカバー部を備えることを特徴とする液体吐出装置。
【請求項５】
請求項１から４のいずれか１項に記載の液体吐出装置において、
前記支持部は、前記差し込み口を形成する部材とは別の部材が該差し込み口に接続されることで構成されていることを特徴とする液体吐出装置。
【請求項６】
請求項１から４のいずれか１項に記載の液体吐出装置において、
前記支持部は、前記差し込み口を形成する部材と一体に形成されていることを特徴とする液体吐出装置。
【発明の詳細な説明】
【技術分野】
【０００１】
本発明は、液体吐出装置に関する。
【背景技術】
【０００２】
従来から、様々な液体吐出装置が使用されている。このうち、液体を収容する液体収容部を差し込み口から挿し込み、液体を液体収容部から吐出部まで供給することで吐出部から液体を吐出する液体吐出装置がある。このような構成の液体吐出装置においては、液体収容部に収容される液体の量を多くするために液体収容部を大きくしていることで、液体収容部の一部が筐体部の外に突出する構成となる場合がある。  
例えば、特許文献１には、筐体部の外に突出する突出部分を有する液体収容容器（液体収容部）を備えた液体噴射装置（液体吐出装置）が開示されている。
【先行技術文献】
【特許文献】
【０００３】
【特許文献１】特開２０１４−９４５３６号公報
【発明の概要】
【発明が解決しようとする課題】
【０００４】
しかしながら、筐体部の外に突出する突出部分を有する液体収容部を備えた従来の液体吐出装置においては、突出部分にユーザーが接触するなどして、液体収容部に外力がかかる場合があった。液体収容部に外力がかかると、液体収容部が姿勢変化をし、液体の供給状態に変化が生じる虞がある。
【０００５】
そこで、本発明は、筐体部の外に突出する突出部分を有する液体収容部に外力がかかった場合における液体収容部の姿勢変化を抑制することを目的にする。
【課題を解決するための手段】
【０００６】
上記課題を解決するための本発明の第１の態様の液体吐出装置は、液体を吐出する吐出部を収容し、差し込み口を備える筐体部と、前記吐出部に供給される前記液体を収容し、前記差し込み口に差し込まれる差し込み部分と、前記差し込み口に前記差し込み部分が差し込まれた際に前記筐体部の外に突出する突出部分と、を有する液体収容部と、前記差し込み口から延びるように構成され、前記突出部分を支持する支持部と、を備えることを特徴とする。
【０００７】
本態様によれば、差し込み口から延びるように構成され、突出部分を支持する支持部を備える。支持部が差し込み口から延びるように構成されることで、突出部分が外力を受けた場合であっても、該外力が差し込み口と支持部との両方に同様にかかり、差し込み口と支持部との位置関係の変化を抑制することができる。このため、筐体部の外に突出する突出部分を有する液体収容部に外力がかかった場合における液体収容部の姿勢変化を抑制することができる。  
なお、「差し込み口から延びるように構成」とは、差し込み口を構成する壁部や底部などの構成部材と一体化若しくはこれらと接続されて延設される構成を意味する。
【０００８】
本発明の第２の態様の液体吐出装置は、前記第１の態様において、前記支持部は、前記差し込み口の側壁から延びるように構成されていることを特徴とする。
【０００９】
本態様によれば、支持部は差し込み口の側壁から延びるように構成されているので、突出部分が側壁側から外力を受けた場合において、差し込み口と支持部との位置関係の変化を特に効果的に抑制することができる。
【００１０】
本発明の第３の態様の液体吐出装置は、前記第１又は第２の態様において、前記差し込み口の内部には、前記液体収容部が差し込まれる差し込み方向に沿って形成され、該液体収容部と当接するレール部が設けられ、前記支持部には、前記レール部の前記差し込み方向に沿う延長線上に、前記突出部分と弾性的に当接する当接部が設けられることを特徴とする。
【００１１】
本態様によれば、差し込み口の内部に差し込み方向に沿ってレール部が形成され、支持部にはレール部の差し込み方向に沿う延長線上に突出部分と弾性的に当接する当接部が設けられる。このため、レール部により液体収容部を差し込み口の適正な位置に差し込むことができる。さらに、レール部の差し込み方向に沿う延長線上に突出部分と弾性的に当接する当接部が設けられることにより、突出部分が外力を受けた場合でも該当接部が外力の影響を低減し、レール部に対する液体収容部の姿勢変化を特に効果的に抑制できる。
【００１２】
本発明の第４の態様の液体吐出装置は、前記第１から第３のいずれか１つの態様において、前記筐体部の外側の位置に、前記支持部をカバーするカバー部を備えることを特徴とする。
【００１３】
本態様によれば、筐体部の外側の位置に支持部をカバーするカバー部を備えるので、突出部分が外力を受ける虞を低減できる。
【００１４】
本発明の第５の態様の液体吐出装置は、前記第１から第４のいずれか１つの態様において、前記支持部は、前記差し込み口を形成する部材とは別の部材が該差し込み口に接続されることで構成されていることを特徴とする。
【００１５】
本態様によれば、支持部は差し込み口を形成する部材とは別の部材が該差し込み口に接続されることで構成されているので、各部材の構成を簡単にでき、必要に応じて支持部を差し込み口から取り外すことで部材の交換などを簡単にすることができる。
【００１６】
本発明の第６の態様の液体吐出装置は、前記第１から第４のいずれか１つの態様において、前記支持部は、前記差し込み口を形成する部材と一体に形成されていることを特徴とする。
【００１７】
本態様によれば、支持部は差し込み口を形成する部材と一体に形成されているので、支持部の差し込み口に対する変形を抑制するための強度を高めることができる。このため、特に効果的に、筐体部の外に突出する突出部分を有する液体収容部に外力がかかった場合における液体収容部の姿勢変化を抑制することができる。
【図面の簡単な説明】
【００１８】
【図１】本発明の一実施例に係る印刷装置の概略斜視図。
【図２】本発明の一実施例に係る印刷装置の概略斜視図。
【図３】本発明の一実施例に係る印刷装置の要部の概略斜視図。
【図４】本発明の一実施例に係る印刷装置の要部の概略斜視図。
【図５】本発明の一実施例に係る印刷装置の要部の概略斜視図。
【図６】本発明の一実施例に係る印刷装置の要部の概略斜視図。
【図７】本発明の一実施例に係る印刷装置の要部の概略斜視図。
【図８】本発明の一実施例に係る印刷装置の要部の概略斜視図。
【図９】本発明の一実施例に係る印刷装置の要部の概略側面図。
【図１０】本発明の一実施例に係る印刷装置の要部の概略側面図。
【図１１】本発明の一実施例に係る印刷装置の要部の概略正面図。
【図１２】本発明の一実施例に係る印刷装置の要部の概略正面図。
【図１３】本発明の一実施例に係る印刷装置の要部の概略正面図。
【図１４】本発明の一実施例に係る印刷装置の要部の拡大平面図。
【図１５】本発明の一実施例に係る印刷装置の要部の拡大平面図。
【図１６】従来の印刷装置の要部の概略斜視図。
【発明を実施するための形態】
【００１９】
以下に、本発明の一実施例に係る液体吐出装置としてのインクジェットプリンター（印刷装置１）について、添付図面を参照して詳細に説明する。  
最初に、本発明の一実施例に係る印刷装置１の概要について説明する。  
図１及び図２は本実施例に係る印刷装置１の概略斜視図であり、図１はインクカートリッジ３のセット部２において前側カバー１２を取り付けた状態、図２はインクカートリッジ３のセット部２において前側カバー１２を取り外した状態、を表している。
【００２０】
本実施例の印刷装置１は、液体としてのインクを収容した液体収容部としてのインクカートリッジ３から吐出部としてのインクジェットヘッド４に不図示のチューブなどを介してインクを供給し、不図示の搬送機構により搬送方向Ａに搬送される媒体にインクジェットヘッド４からインクを吐出することにより、印刷を実行する構成である。  
なお、本実施例の印刷装置１の要部であるインクカートリッジ３のセット部２の詳細な構成については後述する。
【００２１】
具体的には、本実施例の印刷装置１は、図１及び図２では取り外されているが、背面側にロール状の媒体をセット可能な回転軸を備えており、該回転軸を回転させることにより媒体をインクジェットヘッド４による印刷領域に送り出すことが可能な構成になっている。  
なお、本実施例の印刷装置１は媒体としてロール状の媒体を使用可能であるが、このようなロール状の媒体を使用可能な印刷装置に限定されない。例えば、単票式の媒体を使用可能な構成であってもよい。
【００２２】
また、本実施例の印刷装置１は、媒体を支持する媒体支持部５などからなる媒体の搬送経路において該媒体を搬送方向Ａに搬送するための、不図示の搬送ローラー対を筐体部１１の内部に備えている。  
なお、媒体支持部５の下部には、該媒体支持部５に支持された媒体を加熱可能な不図示のヒーターが設けられている。このように、本実施例の印刷装置１は、加熱部として、媒体を加熱可能なヒーターを備えているが、媒体支持部５と対向する位置に設けられる赤外線ヒーター等を備えていてもよい。
【００２３】
筐体部１１の内部には、複数のノズルが設けられたノズル形成面の該ノズルからインクを吐出して印刷するインクジェットヘッド４と、該インクジェットヘッド４を搭載して走査方向Ｂに往復移動可能なキャリッジ６と、を備えている。  
ここで、上記のように、インクジェットヘッド４は、媒体の搬送方向Ａと交差する走査方向Ｂに往復移動しながら、搬送される媒体に不図示のノズルからインクを吐出して印刷することが可能な構成である。このような構成のインクジェットヘッド４を備えていることにより、本実施例の印刷装置１は、所定量（１パス分）媒体を搬送方向Ａに搬送させることと、媒体を停止した状態でインクジェットヘッド４を走査方向Ｂに移動させながらインクを吐出させることと、を繰り返すことで、媒体に所望の画像を形成可能である。  
なお、本実施例の印刷装置１は、媒体の搬送とインクジェットヘッド４の走査とを交互に繰り返して印刷を行う所謂シリアルプリンターであるが、媒体の幅方向に沿ってライン状にノズルが形成されたラインヘッドを使用して連続的に媒体を搬送しながら連続的に印刷を行う所謂ラインプリンターであってもよい。
【００２４】
また、インクジェットヘッド４の媒体の搬送方向Ａにおける下流側には、媒体をロール状に巻き取り可能な巻取軸１０が備えられている。  
また、媒体支持部５における媒体の搬送方向Ａにおける下流側の端部と、巻取軸１０と、の間には、媒体との接触部が走査方向Ｂに延設され、媒体に所望のテンションを付与することが可能なテンションバー９が設けられている。
【００２５】
次に、本実施例の印刷装置１の要部であるインクカートリッジ３のセット部２について説明する。  
ここで、図３〜図８は、セット部２の概略斜視図である。このうち図３は図２におけるセット部２の拡大図、図４は図３の状態から横側カバー７を取り外した状態、図５は図４の状態から筐体部１１を取り外した状態、図６は図５の状態から差し込み口１４の壁部１３を省略して表した状態、図７は図６の状態からインクカートリッジ３の支持部８の側壁部８ａを省略して表した状態、図８は図５の状態からインクカートリッジ３を取り外した状態、を表している。  
また、図９及び図１０は、セット部２の概略側面図である。このうち図９は図５に対応する側面図であり、図１０は図７に対応する側面図である。  
そして、図１６は、従来の印刷装置のセット部１０２の概略斜視図であり、本実施例の印刷装置１の図５に対応する図である。
【００２６】
図７及び図１０などで表されるように、本実施例のインクカートリッジ３は、差し込み口１４（図７及び図８参照）に差し込まれる差し込み部分３ｂと、差し込み口１４に差し込み部分３ｂが差し込まれた際に筐体部１１の外に突出する突出部分３ａと、を有している。そして、セット部２は、該突出部分３ａを筐体部１１の外側において支持する支持部８を有している。
【００２７】
図１６で表されるように、従来の印刷装置にも支持部１０８は設けられていたが、支持部１０８はセット部１０２とは別の構成部材１５（例えば、筐体部、筐体部の内部に設けられたプレート部、印刷装置の脚部など）に設けられていた。このため、ユーザーが印刷装置に接触するなどして、外部からインクカートリッジ１０３に力が加わると、インクカートリッジ１０３の突出部分１０３ａに外力がかかる場合があった。そして、突出部分１０３ａに外力がかかると、インクカートリッジ１０３が姿勢変化をし、インクの供給状態に変化が生じる虞があった。  
そこで、本実施例の印刷装置１においては、インクカートリッジ３（突出部分３ａ）に外力がかかってもその影響を受けにくい構成としている。具体的には、図５〜図９などで表されるように、支持部８は差し込み口１４から延びるように構成されている。
【００２８】
すなわち、本実施例の印刷装置１は、インクを吐出するインクジェットヘッド４を収容し、差し込み口１４を備える筐体部１１を備えている。また、インクジェットヘッド４に供給されるインクを収容し、差し込み口１４に差し込まれる差し込み部分３ｂと、差し込み口１４に差し込み部分３ｂが差し込まれた際に筐体部１１の外に突出する突出部分３ａと、を有するインクカートリッジ３を備えている。さらに、差し込み口１４から延びるように構成され、突出部分３ａを支持する支持部８を備えている。  
このように、支持部８が差し込み口１４から延びるように構成されていることで、突出部分３ａが外力を受けた場合であっても、該外力が差し込み口１４と支持部８との両方に同様にかかり、差し込み口１４と支持部８との位置関係が変化することを抑制することができる。このため、本実施例の印刷装置１は、筐体部１１の外に突出する突出部分３ａを有するインクカートリッジ３に外力がかかった場合におけるインクカートリッジ３の姿勢変化を抑制することができる構成になっている。  
なお、「差し込み口１４から延びるように構成」とは、差し込み口１４を構成する壁部（壁部１３）や底部（底部２２）などの構成部材と一体化若しくはこれらと接続されて延設される構成を意味する。
【００２９】
また、本実施例の支持部８は、図５及び図９などで表されるように、側壁部８ａが差し込み口１４の側壁（壁部１３）から延びるように構成されている。印刷装置１の構造から突出部分３ａは側壁側から外力を受けやすいが、このような構成のため、本実施例の印刷装置１は、突出部分３ａが側壁側から外力を受けた場合において、差し込み口１４と支持部８との位置関係の変化を特に効果的に抑制することができる構成になっている。
【００３０】
また、本実施例の印刷装置１は、図１〜図３等で表されるように、筐体部１１の外側の位置に、支持部８をカバーするカバー部としての前側カバー１２及び横側カバー７を備えている。このため、本実施例の印刷装置１は突出部分３ａが外力を受ける虞を低減できる構成になっている。
【００３１】
また、本実施例のセット部２は、支持部８の側壁部８ａが差し込み口１４を形成する部材としての壁部１３に接続（ネジ止め固定）される構成になっている。すなわち、本実施例の支持部８は、差し込み口１４を形成する部材とは別の部材が該差し込み口１４に接続されることで構成されている。このため、本実施例の印刷装置１は、各部材の構成を簡単にでき、必要に応じて支持部８を差し込み口１４から取り外すことで部材の交換などを簡単にすることができる構成になっている。
【００３２】
なお、本実施例の印刷装置１は、本実施例のインクカートリッジ３から突出部分３ａを無くした形状の小容量のインクカートリッジも使用可能である。このような小容量のインクカートリッジを使用する場合には支持部８は不要となるので、支持部８を差し込み口１４から取り外すことで印刷装置１の形状をシンプルにすることが可能になっている。  
なお、図３及び図１０で表されるように、本実施例のインクカートリッジ３は、回転軸３ｄを基準に回転方向Ｃに回転可能な蓋部３ｃを備えており、蓋部３ｃを開くことでインクカートリッジ３の内部にインクを注入することが可能な構成になっている。
【００３３】
本実施例のセット部２は、上記のような構成になっているが、支持部８が差し込み口１４を形成する部材と一体に形成されていてもよい。支持部８が差し込み口１４を形成する部材と一体に形成される構成とすることで、支持部８を特に頑丈に構成することができ、特に効果的に、筐体部１１の外に突出する突出部分３ａを有するインクカートリッジ３に外力がかかった場合におけるインクカートリッジ３の姿勢変化を抑制することができる。
【００３４】
以下に、さらに詳細に、セット部２について説明する。  
ここで、図１１〜図１３は、セット部２の一部（差し込み口１４）の概略正面図であり、図１１は通常の正面図、図１２はインクカートリッジ３の一部を切り取った一部断面図、図１３は図１２の領域αの拡大図である。  
また、図１４は図９の領域β（当接部８ｃの形成領域）における拡大平面図であり、図１５は図８の領域γ（壁部１３と側壁部８ａとの接続部）における拡大平面図である。
【００３５】
図１１及び図１２で表されるように、本実施例のインクカートリッジ３の突出部分３ａの下側には凸部３ｅが設けられており、支持部８の底部８ｂに設けられた凹部１８と該凸部３ｅとが嵌合することによりインクカートリッジ３はセット部２に位置決めされる。このように、凹部１８と凸部３ｅとの嵌合及びインクカートリッジ３の供給口２０と印刷装置１の本体側の供給口嵌合部２１との嵌合（図１０参照）により、インクカートリッジ３は該インクカートリッジ３の差し込み方向Ｄに位置決めされる。
【００３６】
また、図１２及び図１３で表されるように、本実施例のインクカートリッジ３の差し込み部分３ｂの下側には凸部３ｆが設けられており、差し込み口１４の底部２２に設けられた溝状のレール部１９に凸部３ｆを嵌合させた状態で差し込み方向Ｄに差し込むことで差し込み方向Ｄと交差する方向に位置決めされる。
【００３７】
このように、本実施例の印刷装置１は、差し込み口１４の内部に、インクカートリッジ３が差し込まれる差し込み方向Ｄに沿って形成され、該インクカートリッジ３（凸部３ｆ）と当接するレール部１９が設けられている。  
そして、支持部８には、図６及び図９で表されるようにレール部１９の差し込み方向Ｄに沿う延長線上に、図１４などで表される突出部分３ａと弾性的に当接する当接部８ｃが設けられている。  
このため、本実施例の印刷装置１は、レール部１９によりインクカートリッジ３を差し込み口の適正な位置に差し込むことができる構成になっている。さらに、レール部１９の差し込み方向Ｄに沿う延長線上に突出部分３ａと弾性的に当接する当接部８ｃが設けられることにより、突出部分３ａが外力を受けた場合でも該当接部８ｃが外力の影響を低減し、レール部１９に対するインクカートリッジ３の姿勢変化を特に効果的に抑制できる構成になっている。  
なお、本実施例の当接部８ｃは、板状部材（側壁部８ａの一部切り出し）により構成されているがこのような構成に限定されず、バネやゴムなどで構成されていてもよい。  
また、本実施例ではインクカートリッジ３の差し込み部分３ｂの下側に凸部３ｅを形成するとともにレール部１９を溝状としているが、インクカートリッジ３の差し込み部分３ｂの下側に凹部を形成しレール部を峰状（差し込み方向Ｄに沿って延びる凸状）としてもよい。
【００３８】
なお、本実施例のセット部２は、図３〜図８などで表されるように、４枚の壁部１３と、４枚の壁部１３に対応する４枚の側壁部８ａと、を有している。側壁部８ａは何れも壁部１３に対して平面視で右側から取り付けられている。そして、側壁部８ａは何れも壁部１３に対して差し込み口１４の内側から外側に向けてネジ止めされている。さらに、部材の共通化の目的で、各々の側壁部８ａは同じ構造をしている。  
このため、図８及び壁部１３と側壁部８ａとの接続部を表す図１５で表されるように、壁部１３と側壁部８ａとの接続部は、雄ネジ１７により平面視で左側からネジ止めする孔部１６ａ（側壁部８ａが雌ネジ構造）、雄ネジ１７により平面視で右側からネジ止めする孔部１６ｂ（壁部１３が雌ネジ構造）、壁部１３と側壁部８ａとの位置決め孔部１６ｃ、が形成されている。別の表現をすると、側壁部８ａを壁部１３に対して平面視で右側から取り付けるためのネジ孔と側壁部８ａを壁部１３に対して平面視で左側から取り付けるためのネジ孔とを側壁部８ａ及び壁部１３の両方に別々に設け、平面視で左側からネジ止めする位置と平面視で右側からネジ止めする位置とを異ならせている。
【００３９】
なお、本発明は上記実施例に限定されることなく、特許請求の範囲に記載した発明の範囲内で種々の変形が可能であり、それらも本発明の範囲内に含まれることは言うまでもない。
【符号の説明】
【００４０】
１…印刷装置、２…セット部、３…インクカートリッジ（液体収容部）、
３ａ…突出部分、３ｂ…差し込み部分、３ｃ…蓋部、３ｄ…回転軸、３ｅ…凸部、
３ｆ…凸部、４…インクジェットヘッド（吐出部）、５…媒体支持部、６…キャリッジ、
７…横側カバー（カバー部）、８…支持部、８ａ…側壁部、８ｂ…底部、８ｃ…当接部、
９…テンションバー、１０…巻取軸、１１…筐体部、１２…前側カバー（カバー部）、
１３…壁部（差し込み口１４の側壁）、１４…差し込み口、
１５…セット部２とは別の構成部材、１６ａ…平面視で左側からネジ止めする孔部、
１６ｂ…平面視で右側からネジ止めする孔部、
１６ｃ…壁部１３と側壁部８ａとの位置決め孔部、１７…雄ネジ、１８…凹部、
１９…レール部、２０…供給口、２１…供給口嵌合部、２２…底部、
１０２…セット部、１０３…インクカートリッジ、１０３ａ…突出部分、
１０８…支持部
【図１】
2018122534.tif 000003
【図２】
2018122534.tif 000004
【図３】
2018122534.tif 000005
【図４】
2018122534.tif 000006
【図５】
2018122534.tif 000007
【図６】
2018122534.tif 000008
【図７】
2018122534.tif 000009
【図８】
2018122534.tif 000010
【図９】
2018122534.tif 000011
【図１０】
2018122534.tif 000012
【図１１】
2018122534.tif 000013
【図１２】
2018122534.tif 000014
【図１３】
2018122534.tif 000015
【図１４】
2018122534.tif 000016
【図１５】
2018122534.tif 000017
【図１６】
2018122534.tif 000018